(57)【要約】【課題】利得制御方法において、従来技術の問題点である固定の利得に設定済の後、一時的に固定の利得から増減させて最終的に固定の利得に戻すことが困難であった問題を解決し、簡単に固定の利得に戻すことを可能にする利得制御方法を提供する。【解決手段】本発明は、制御電圧によりアッテネータ又は可変利得増幅器の利得を調整する利得制御方法であって、前記アッテネータ又は可変利得増幅器に利得を調整するための第一及び第二の制御電圧を与え、前記第一の制御電圧を第一の固定電圧値とし、前記第二の制御電圧の所定の値を第二の固定電圧値として設定し、前記第二の固定電圧値の前後で前記第二の制御電圧を調整して前記アッテネータ又は可変利得増幅器の利得を調整することを特徴とする利得制御方法を提供することにより上記課題を解決したものである。【選択図】　　　図１
2004023223.tif 000002
【特許請求の範囲】
【請求項１】
制御電圧によりアッテネータ又は可変利得増幅器の利得を調整する利得制御方法であって、前記アッテネータ又は可変利得増幅器に利得を調整するための第一及び第二の制御電圧を与え、前記第一の制御電圧を第一の固定電圧値とし、前記第二の制御電圧の所定の値を第二の固定電圧値として設定し、前記第二の固定電圧値の前後で前記第二の制御電圧を調整して前記アッテネータ又は可変利得増幅器の利得を調整することを特徴とする利得制御方法。
【発明の詳細な説明】
【０００１】
【発明の属する技術分野】
本発明は、増幅器の利得制御に関するものである。
【０００２】
【従来の技術】
従来、利得制御方法において、増幅器が固定の利得に設定済の後、一時的な試験等で一旦、固定の利得から増減させてから最終的に固定の利得に戻したい時は、ネットワークアナライザ等の測定器を用いて固定の利得に戻るのを確認するのが通常であった。
【０００３】
【発明が解決しようとする課題】
前記従来の設定方法では一度増減させた利得を元の固定の利得に再設定するまでに時間を要した上、使用するネットワークアナライザ等の測定器を設置するのがスペース上でも困難なところでは、非常に難しい装置調整上の問題であった。
【０００４】
本発明の目的は、利得制御方法において、従来技術の問題点である固定の利得に設定済の後、一時的に固定の利得から増減させて最終的に固定の利得に戻すことが困難であった問題を解決し、簡単に固定の利得に戻すことを可能にする利得制御方法を提供することにある。
【０００５】
【課題を解決するための手段】
本発明は、制御電圧によりアッテネータ又は可変利得増幅器の利得を調整する利得制御方法であって、前記アッテネータ又は可変利得増幅器に利得を調整するための第一及び第二の制御電圧を与え、前記第一の制御電圧を第一の固定電圧値とし、前記第二の制御電圧の所定の値を第二の固定電圧値として設定し、前記第二の固定電圧値の前後で前記第二の制御電圧を調整して前記アッテネータ又は可変利得増幅器の利得を調整することを特徴とする利得制御方法を提供することにより上記課題を解決したものである。
【０００６】
【実施例】
本発明の実施例を図面によって説明する。
図１において、高周波入力１、高周波増幅器２ａ、２ｂ、アッテネータ又は可変利得増幅器３、制御電圧加算回路５、可変抵抗器６、センタークリック付可変抵抗器７、高周波出力４で構成された利得制御方法であり、所要の直流電源から与えられた前記可変抵抗器６で第一の制御電圧Ｖ１が、所要の独立直流電源から与えられた前記センタークリック付可変抵抗器７で第二の制御電圧Ｖ２（Ｖ２±α１　）の各制御電圧が取り出され、前記第一の制御電圧Ｖ１と前記第二の制御電圧Ｖ２（Ｖ２±α１　）が前記制御電圧加算回路５にて加算され利得制御電圧Ｖａ（Ｖａ±α１　）としてアッテネータ又は可変利得増幅器３への利得制御電圧となる。
【０００７】
図１において、まずセンタークリック付可変抵抗器７の状態はセンター（クリックのある状態）として第二の制御電圧Ｖ２の所定の値で固定される第二の固定電圧値とし、次に可変抵抗器６を調整して第一の制御電圧Ｖ１は第一の固定電圧値となり、更にアッテネータ又は可変利得増幅器３への利得制御電圧Ｖａは前記第一の制御電圧Ｖ１と前記第二の制御電圧Ｖ２との合成値により成り立ち、これらＶ１，Ｖ２，Ｖａが固定の利得Ａに対応した各制御電圧の固定値となって、アッテネータ又は可変利得増幅器３が固定の利得Ａになるように設定される。
【０００８】
図２において、前記各制御電圧の固定値によって設定された固定の利得Ａに対し一時的に前記利得Ａを増減したい時（仮にＡ±αとする）は、先程設定した第一の制御電圧Ｖ１はそのままにして、第二の制御電圧Ｖ２を前後に微調整する事により、第二の固定電圧値の前後（仮にＶ２±α１　とする）値となり、第一の制御電圧Ｖ１と第二の固定電圧値Ｖ２±α１　の合成値が前記アッテネータ又は可変利得増幅器３への制御電圧の前後の調整（仮にＶａ±α１　とする）値を得る。最終的に固定の利得Ａに戻す時は前記センタークリック付可変抵抗器７をクリック感のあるところまで戻す事によって第二の制御電圧Ｖ２±α１　は元の所定の値である第二の固定電圧値即ち第二の制御電圧Ｖ２に戻り、第一の制御電圧Ｖ１は第一の固定電圧から不変のため、アッテネータ又は可変利得増幅器３への制御電圧は固定の利得制御電圧Ｖａに戻り、従って元の固定の利得Ａに戻ることになる。
【０００９】
図３においては、本願発明のもう一つの実施例として、前記図１と同様な原理であるが、制御電圧加算回路５およびアッテネータ又は可変利得増幅器３に換え、第一のアッテネータ又は可変利得増幅器３ａ及び第二のアッテネータ又は可変利得増幅器３ｂを有し、所要の直流電源から与えられる可変抵抗器６ａで取り出される第一の制御電圧Ｖ１’　により制御される第一のアッテネータ又は可変利得増幅器３ａと所要の独立直流電源から与えられるセンタークリック付可変抵抗器７ａで取り出される第二の制御電圧Ｖ２’　により制御される第二のアッテネータ又は可変利得増幅器３ｂにより構成され、まずセンタークリック付可変抵抗器７ａの状態はセンター（クリックのある状態）とし、第一のアッテネータ又は可変利得増幅器３ａへの第一の制御電圧Ｖ１’　即ち第一の固定電圧値を及び第二のアッテネータ又は可変利得増幅器３ｂへの第二の制御電圧Ｖ２’　即ち所定の値である第二の固定電圧値によって、固定の利得Ａになるように設定される。
【００１０】
図４において、前項により固定の利得Ａに設定され、その後、一時的に固定の利得Ａを増減したい時は、先程設定した前記第一の制御電圧Ｖ１’　は第一の固定電圧値、即ち前記第一のアッテネータ又は可変利得増幅器は、前記３ａ側としての固定の利得に設定されたままとし、前記第二の制御電圧Ｖ２’　は所定の値である第二の固定電圧値からＶ２’　±α１　’　に調整する事により、利得がＡ±αに変化する。最終的に固定の利得Ａに戻す時はＶ２’　±α１　’　を前記センタークリック付可変抵抗器７ａによりクリック感のあるところまで戻す事によって第二の制御電圧はＶ２’　即ち所定の値である第二の固定電圧値に戻り、前記第二のアッテネータ又は可変利得増幅器３ｂの利得値も前記第二の制御電圧Ｖ２’　で制御された所定の利得値である３ｂ側としての固定利得値に戻り、一方、前記第一のアッテネータ又は可変利得増幅器３ａへの前記第一の制御電圧Ｖ１’　は設定値から不変なので、３ａ側としての固定利得値のままであり、全体としても固定の利得Ａに戻ることになる。
【００１１】
図５に従来の実施例として、利得制御方法の簡単な一例を示す。今、図５の高周波入力１〜高周波出力４までの利得を固定の利得Ａにするため、装置内のアッテネータ又は可変利得増幅器３を調整して利得を固定値に調整するが、これには所要の直流電源から与えるための可変抵抗器６’を手動可変させるか、もしくは類似手法としてパソコン等よりＤ／Ａコンバータに書き込みを行うことによって制御されるが、その制御電圧は、前記固定の利得Ａに対しては利得制御電圧Ｖａで与えられる固定電圧値である。次に前記固定の利得Ａに設定後、一時的に前記固定の利得Ａを増減させてＡ±αとし最終的に前記固定の利得Ａに設定値を戻したい時、以下のような問題が発生する。
（１）手動による可変抵抗器６’の場合、固定の利得Ａに戻す時に正確な戻し位置が不明である。また、屋根裏等の暗い所で可変抵抗器６’を回している時は、前記可変抵抗器６’の元の位置は判別不便なので、ネットワークアナライザ８等の測定器結合での測定が必要になる。
（２）前記Ｄ／Ａコンバータ利用の時、固定の利得Ａに戻す時に正確な再設定は可能なものの、パソコン等の外部設定治具が必要となる。
【００１２】
【発明の効果】
以上詳細に説明したように、本発明によれば、固定の利得Ａに設定済の後、一時的に固定の利得Ａから増減させて利得Ａ±αとし、最終的に前記固定の利得Ａに戻したい時に困難であることを解決し、センタークリック付きの可変抵抗器を使用した場合、可変抵抗器の状態（位置）を見ることなく、感覚的に“カチッ”とクリック感のある所まで可変抵抗器を戻せば、簡単に利得Ａに戻すことを可能にしたものである。
【図面の簡単な説明】
【図１】本発明の第一の実施例に係る利得制御方法の構成を示す系統図である。
【図２】本発明の第一の実施例に係る利得制御方法の特性を示すグラフである。
【図３】本発明の第二の実施例に係る利得制御方法の構成を示す系統図である。
【図４】本発明の第二の実施例に係る利得制御方法の特性を示すグラフである。
【図５】本発明に係る従来の利得制御方法の構成を示す系統図である。
【符号の説明】
１　高周波入力
２ａ，２ｂ　高周波増幅器
３，３ａ，３ｂ　アッテネータ又は可変利得増幅器
４　高周波出力
５　制御電圧加算回路
６，６ａ，６’　可変抵抗器
７，７ａ　センタークリック付可変抵抗器
８　ネットワークアナライザ
Ｖａ（Ｖａ±α１　）　利得制御電圧
Ｖ１，Ｖ１’　　第一の制御電圧
Ｖ２（Ｖ２±α１　），Ｖ２’　（Ｖ２’　±α１　’　）　第二の制御電圧
Ａ（Ａ±α）　利得
【図１】
2004023223.tif 000003
【図２】
2004023223.tif 000004
【図３】
2004023223.tif 000005
【図４】
2004023223.tif 000006
【図５】
2004023223.tif 000007